(57)【要約】【課題】電気機器の短絡および接地事故を生じることなく、効率を高めること【解決手段】本発明の実施形態は、ハウジングを含む電気機器モジュールを提供する。このハウジングは、電気機器のキャビティを含むことができる。一部の実施形態では、電気機器キャビティ内に電気機器の少なくとも一部を位置させることができ、この電気機器は、ステータアセンブリを含むことができ、このステータアセンブリは、スロットを有するステータコアを含む。一部の実施形態では、これらスロット内に導線を位置決めできる。導線は、脚部部分の間で延びる曲がり部分を含み、脚部部分は、角度付き部分と、接続部分とを含む。これら角度付き部分および接続部分は、第１の軸方向の側にてステータコアから延びるように、前記複数のスロット内に導線が配置されている。接続部分の少なくとも一部がカバーされないように、脚部部分の少なくとも一部を覆う状態に少なくとも１つの絶縁部材を配置できる。【選択図】図１
2013165639.tif 000002
【特許請求の範囲】
【請求項１】
電気機器のキャビティを少なくとも部分的に構成するハウジングと、
前記電気機器のキャビティ内に少なくとも一部が位置し、前記ハウジングによって少なくとも一部が囲まれている電気機器とを備え、該電気機器は、
複数のスロットを有するステータコアを含むステータアセンブリと、
前記複数のスロットの少なくとも一部分内に位置する複数の導線とを備え、前記導線の各々は、少なくとも１つの脚部部分を含み、これら脚部部分の各々は、１つ以上の角度付き部分と、１つ以上の接続部分とを含み、前記ステータコアの一端部において前記ステータコアから前記角度付き部分の１つ以上および前記接続部分の１つ以上が延びるよう、前記複数のスロット内に前記導線が位置し、
更に前記電気機器は、
前記接続部分のうちの少なくとも１つが絶縁部材によっては少なくとも部分的にカバーされないが、前記角度付き部分の少なくとも１つが前記絶縁部材によって少なくとも部分的にカバーされるように、ステータコアから延びる前記脚部部分の少なくとも１つを覆う状態に配置された少なくとも１つの絶縁部材を含む、電気機器モジュール。
【請求項２】
絶縁部材複数の導線のうちの少なくとも一部分は、第１絶縁体を備える、請求項１に記載の電気機器モジュール。
【請求項３】
前記複数のスロットの各々の内に配置された少なくとも１つのスロット部材を備え、前記スロット部材内に前記脚部部分の少なくとも一部が位置する、請求項１に記載の電気機器モジュール。
【請求項４】
前記スロット部材の少なくとも一部分は、前記絶縁部材の少なくとも一部分と実質的に一体的となっている、請求項３に記載の電気機器モジュール。
【請求項５】
前記接続部分に実質的に隣接する位置から、前記ステータコアに実質的に隣接する位置まで、前記絶縁部材が延びる、請求項１に記載の電気機器モジュール。
【請求項６】
前記複数のスロットの各々は、少なくとも４つの脚部部分を備え、前記脚部部分の各々は、少なくとも１つの絶縁部材を備える、請求項１に記載の電気機器モジュール。
【請求項７】
前記複数のスロットの各々は、少なくとも４つの脚部部分を備え、前記複数のスロットの各々における前記脚部部分の少なくとも２つは、少なくとも１つの絶縁部材を備える、請求項１に記載の電気機器モジュール。
【請求項８】
前記絶縁部材は、Ｎｏｍｅｘ（登録商標）、Ｋａｐｔｏｎ（登録商標）、Ｋｅｖｌａｒ（登録商標）、Ｍｙｌａｒ（登録商標）、ポリイミド、ポリアミド、ポリエステルおよびポリアミドイミドのうちの少なくとも１つを備える、請求項１に記載の電気機器モジュール。
【請求項９】
少なくとも一部の曲がり部分を覆う状態に前記絶縁部材が配置されている、請求項１に記載の電気機器モジュール。
【請求項１０】
前記ハウジング内に少なくとも一部が配置された冷媒ジャケットを更に備え、該冷媒ジャケットは、複数の冷媒用開口部を通して前記電気機器のキャビティと流体連通している、請求項１に記載の電気機器モジュール。
【請求項１１】
電気機器のキャビティを含むハウジングと、
前記電気機器のキャビティ内に少なくとも一部が位置する電気機器とを備え、前記電気機器が、
溶接端部および挿入端部を含み、軸方向に配置された複数のスロットを有するステータコアを含むステータアセンブリと、
前記スロットの各々内に位置する少なくとも１つのスロット部材と、
導線の各々の少なくとも一部分が前記スロット部材内に配置されるように前記スロット内に位置する複数の導線とを含み、前記導線の各々は２つの脚部部分の間で延びる曲がり部分を含み、前記２つの脚部部分はインスロット部分および接続部分を含み、前記複数の導線の前記曲がり部分は、前記挿入端部から軸方向に延び、前記接続部分は、前記溶接端部において前記インスロット部分から軸方向に延び、
前記電気機器は、前記溶接端部において前記ステータアセンブリから延びる前記脚部部分のうちの少なくとも半分を覆う状態に配置された複数の絶縁部材を更に含み、前記複数の絶縁部材は、前記接続部分に実質的に隣接するポイントから前記ステータコアに実質的に隣接するポイントまで延びるように構成され、配置されている、電気機器モジュール。
【請求項１２】
前記ハウジングは、前記ステータアセンブリの一部分を少なくとも部分的に取り囲む冷媒ジャケットを備える、請求項１１に記載の電気機器モジュール。
【請求項１３】
前記複数のスロットの各々は、少なくとも４つの脚部部分を備え、前記脚部部分の少なくとも２つは、前記溶接端部から延びる前記脚部部分を覆う状態に配置された絶縁部材を含む、請求項１１に記載の電気機器モジュール。
【請求項１４】
前記脚部部分の各々は、絶縁部材の１つ以上の内部に少なくとも部分的に配置されている、請求項１３に記載の電気機器モジュール。    
【請求項１５】
前記絶縁部材の少なくとも２つは、共に可逆的にに結合されている、請求項１４に記載の電気機器モジュール。
【請求項１６】
前記絶縁部材の少なくとも一部は、前記スロット部材の少なくとも一部と実質的に一体的である、請求項１１に記載の電気機器モジュール。
【請求項１７】
複数の歯を含む複数のステータラミネーションを設けるステップと、
前記複数の歯が複数のスロットを形成するように実質的に軸方向に整合し、前記ラミネーションが、挿入端部および溶接端部を含むステータコアを形成するように、前記複数のステータラミネーションの少なくとも一部分を共に結合するステップと、
前記複数のスロットの各々内に少なくとも１つのスロット部材を配置するステップと、
前記複数の導線の少なくとも一部の第１部分が、前記ステータコアの前記挿入端部から軸方向外側に延び、前記複数の導線の少なくとも一部の第２部分が前記ステータコアの前記溶接端部から軸方向外側に延びるよう、前記複数のスロット内に複数の導線を挿入するステップを備え、前記スロット部材内には、前記複数の導線の一部の少なくとも一部分が配置され、
更に、前記第２部分の第１領域がカバーされない状態のままとなり、前記第２部分の第２領域が前記絶縁部材内に位置するよう、前記溶接端部から延びる前記第２部分の少なくとも一部を覆う状態に１つ以上の絶縁部材を位置決めするステップを更に備える、ステータアセンブリを組み立てる方法。
【請求項１８】
前記複数の導線の少なくとも一部の前記第２部分を移動し、この移動された導線上に接続部分および角度付き部分を形成するステップを更に備える、請求項１７に記載の方法。
【請求項１９】
前記接続部分は、前記第１領域を備え、前記角度付き領域は、前記第２領域を備える、請求項１８に記載の方法。
【請求項２０】
前記第２部分の各々は、１つ以上の絶縁部材を含む、請求項１７に記載の方法。
【請求項２１】
前記複数のスロットの各々は、少なくとも４つの導線を備え、前記複数のスロットの各々内の前記導線のうちの少なくとも２つはラミネーション部材を備える、請求項１７に記載の方法。
【請求項２２】
前記絶縁部材は、Ｎｏｍｅｘ（登録商標）、Ｋａｐｔｏｎ（登録商標）、Ｋｅｖｌａｒ（登録商標）、Ｍｙｌａｒ（登録商標）、ポリイミド、ポリアミド、ポリエステルおよびポリアミドイミドのうちの少なくとも１つを備える、請求項１７に記載の方法。
【請求項２３】
前記導線、ステータコア、スロット部材および絶縁体内の絶縁部材のうちの少なくとも一部分をコーティングするステップを更に備える、請求項１７に記載の方法。
【請求項２４】
前記絶縁体は、ニスを含む、請求項２３に記載の方法。
【請求項２５】
電気機器のキャビティを含むハウジングと、
前記電気機器のキャビティ内に少なくとも部分的に位置する電気機器とを備え、
前記電気機器は、
溶接端部および挿入端部を含み、複数のスロットを備えたステータアセンブリと、
前記スロットの各々内に位置する少なくとも１つのスロット部材と、
前記スロット部材内に前記導線の少なくとも一部が配置されるように、前記スロットの少なくとも一部に配置された複数の導線とを備え、前記複数の導線は、前記溶接端部から延びる第１部分と、前記挿入端部から延びる第２部分とを含み、前記第１部分は、少なくとも１つの接続部分および角度付き部分とを備え、前記スロット部材の少なくとも半分は前記接続部分に実質的に隣接するポイントから前記複数の導線の第２部分に実質的に隣接するポイントまで延びるように構成され、配置されている、電気機器モジュール。
【請求項２６】
前記スロット部材の少なくとも一部を貫通するように配置された少なくとも１つの開口部を更に含む、請求項２５に記載の電気機器モジュール。
【請求項２７】
前記スロット部材の少なくとも一部を貫通するように配置された複数の開口部を更に含む、請求項２５に記載の電気機器モジュール。
【請求項２８】
前記スロット部材のすべては、前記接続部分に実質的に隣接するポイントから前記複数の導線の前記第２部分に実質的に隣接するポイントまで延びるように構成され、配置されている、請求項２５に記載の電気機器モジュール。
【請求項２９】
前記部分は曲がり部分を備える、請求項２５に記載の電気機器モジュール。
【請求項３０】
前記スロット部材の少なくとも一部は、前記曲がり部分を少なくとも部分的にカバーするように構成され、配置されている、請求項２９に記載の電気機器モジュール。
【請求項３１】
前記曲がり部分の少なくとも一部は、１つ以上の絶縁部材を備える、請求項２９に記載の電気機器モジュール。
【請求項３２】
前記スロット部材は、Ｎｏｍｅｘ（登録商標）、Ｋａｐｔｏｎ（登録商標）、Ｋｅｖｌａｒ（登録商標）、Ｍｙｌａｒ（登録商標）、ポリイミド、ポリアミド、ポリエステルおよびポリアミドイミドのうちの少なくとも１つを備える、請求項２５に記載の電気機器モジュール。
【請求項３３】
前記導線に力が加えられると、前記スロット部材の少なくとも一部は、インスロット部分および絶縁部材に分割されるような孔を備える、請求項２５に記載の電気機器モジュール。
【請求項３４】
前記ハウジングは、前記ステータアセンブリの一部を少なくとも部分的に取り囲む冷媒ジャケットを備え、前記冷媒ジャケットは、複数の冷媒開口部を通して前記電気機器のキャビティと流体で連通している、請求項２５に記載の電気機器モジュール。
【請求項３５】
電気機器のキャビティを少なくとも部分的に構成するハウジングと、
前記電気機器のキャビティ内に少なくとも一部が位置すると共に、前記ハウジングによって少なくとも一部が囲まれた電気機器とを備え、該電気機器は、
複数のスロットを有するステータコアを含むステータアセンブリと、
前記複数のスロットの少なくとも一部内に配置された複数の導線とを備え、前記複数の導線の各々は、前記ステータコアの溶接端部から延びる第１部分と、前記ステータコアの挿入端部から延びる第２部分とを含み、前記第１部分は、少なくとも１つの接続部分および角度付き部分を備え、前記第２部分は少なくとも１つの曲がり部分を備え、前記曲がり部分に実質的に隣接するポイントから前記ステータコアに実質的に隣接するポイントまで絶縁部材が延びるように、前記複数の導線の少なくとも１つの前記第２部分の領域を覆う状態に少なくとも１つの絶縁部材が配置されている、電気機器モジュール。
【請求項３６】
前記曲がり部分に実質的に隣接するポイントから前記ステータコアに実質的に隣接するポイントまで絶縁部材が延びるように、前記複数の導線の少なくとも１つの前記第１部分の領域を覆う状態に少なくとも１つの絶縁部材が配置されている、請求項３５に記載の電気機器モジュール。
【請求項３７】
前記導線の前記角度付き部分は、前記絶縁部材によって実質的にカバーされている、請求項３６に記載の電気機器モジュール。
【請求項３８】
前記複数の導線の少なくとも半分の前記第２部分は、少なくとも１つの絶縁部材を備える、請求項３５に記載の電気機器モジュール。
【請求項３９】
前記複数の導線の少なくとも半分の前記第２部分は、少なくとも２つの絶縁部材を備える、請求項３５に記載の電気機器モジュール。
【請求項４０】
前記複数の導線の少なくとも半分の前記第１部分は、少なくとも１つの絶縁部材を備える、請求項３９に記載の電気機器モジュール。
【請求項４１】
前記複数のスロットの少なくとも１つに配置された少なくとも１つのスロット部材を更に備え、前記少なくとも１つのスロット部材は、前記少なくとも１つの絶縁部材に結合されている、請求項３５に記載の電気機器モジュール。
【請求項４２】
前記少なくとも１つのスロット部材は、前記接続部分に実質的に隣接するポイントから延びるように構成され、配置されている、請求項４１に記載の電気機器モジュール。
【発明の詳細な説明】
【技術分野】
【０００１】
本発明は、電気機器モジュールの冷却システムおよび方法に関する。
【背景技術】
【０００２】
従来の一部の電気機器は、ロータアセンブリのまわりに配置されたステータアセンブリを含み、一部のステータアセンブリは、ステータコア内に位置する複数の導線を含む。一部の電気機器が作動する間、導線の少なくとも一部を電流が流れる。
【発明の概要】
【発明が解決しようとする課題】
【０００３】
潜在的な短絡回路事故および／または接地事故を防止するために、ステータアセンブリに対する従来の一部の構造は、導線の間に多数の絶縁層を必要とする。更に一部の電気機器が作動する間、ステータアセンブリとロータアセンブリの双方だけでなく、電気機器の他の一部の部品から熱エネルギーが発生されることがある。このような電気機器の一部の要素から生じる熱エネルギーが増加することは、電気機器が非効率的に作動することになり得る。
【課題を解決するための手段】
【０００４】
本発明の一部の実施形態は、ハウジングを含む電気機器モジュールを提供する。このハウジングは、電気機器のキャビティを含むことができる。一部の実施形態では、電気機器のキャビティ内に電気機器の少なくとも一部を位置決めでき、電気機器はステータアセンブリを含むことができ、ステータアセンブリはスロットを有するステータコアを含むことができ、このステータコアは、第１軸方向端部と第２軸方向端部とを含むことができる。一部の実施形態では、スロットの少なくとも一部内に導線を位置決めできる。一部の実施形態では、導線は脚部部分の間に延びる曲がり部分を含むことができる。脚部部分は、角度付き部分と接続部分とを含むことができ、一部の実施形態では、第１軸方向端部においてステータコアから角度付き部分および接続部分が延び、第２軸方向端部においてステータコアから曲がり部分が延びるように、複数のスロット内に導線を位置決めできる。一部の実施形態では、絶縁部材によって接続部分が少なくとも部分的にカバーされず、絶縁部材によって角度付き部分の少なくとも一部が少なくとも部分的にカバーされるように、第１軸方向側においてステータコアから延びる脚部部分の１つ以上を覆う状態に、少なくとも１つの絶縁部材を配置できる。
【０００５】
本発明の一部の実施形態は、ハウジングを含む電気機器モジュールを提供する。このハウジングは、電気機器のキャビティを含むことができる。一部の実施形態では、電気機器のキャビティ内に電気機器の少なくとも一部を位置決めでき、電気機器はステータアセンブリを含むことができる。ステータアセンブリはスロットを有するステータコアを含むことができる。一部の実施形態では、ステータアセンブリは、絶縁端部および溶接端部を含むことができ、スロットの少なくとも一部分内に少なくとも１つのスロット部材を配置できる。一部の実施形態では、スロット部材内に導線が少なくとも部分的に配置されるように、複数のスロットの少なくとも一部内に複数の導線を配置できる。一部の実施形態では、導線は、溶接端部から延びる第１部分と、挿入端部から延びる第２部分とを含むことができる。第１部分は、少なくとも１つの接続部分および角度付き部分を含むことができる。一部の実施形態では、接続部分に実質的に隣接するポイントから複数の導線の第２部分に実質的に隣接するポイントに向かって延びるようにスロット部材の少なくとも半分が構成され、配置される。
【図面の簡単な説明】
【０００６】
【図１】本発明の一実施形態に係わる電気機器モジュールの斜視図である。
【図２】本発明の一実施形態に係わる電気機器モジュールの斜視図である。
【図３】本発明の一実施形態に係わるステータアセンブリの斜視図である。
【図４】本発明の一実施形態に係わるステータラミネーションの正面図である。
【図５】本発明の一実施形態に係わる導線の正面図である。
【図６Ａ】本発明の一部の実施形態に係わるスロットの横断面図である。
【図６Ｂ】本発明の一部の実施形態に係わるスロットの横断面図である。
【図７】本発明の一部の実施形態に係わるステータアセンブリの斜視図である。
【図８】本発明の一部の実施形態に係わる、撚り導線を含むステータアセンブリの斜視図である。
【図９】本発明の一部の実施形態に係わる、撚り導線を含むステータアセンブリの斜視図である。
【図１０】本発明の一部の実施形態に係わる、撚り導線を含むステータアセンブリの斜視図である。
【図１１】本発明の一部の実施形態に係わるステータアセンブリの斜視図である。
【図１２】本発明の一部の実施形態に係わる、撚り導線を含むステータアセンブリの斜視図である。
【図１３】本発明の一実施形態に係わる２つの絶縁部材の側面図である。
【図１４】本発明の一実施形態に係わるステータアセンブリの部分横断面図である。
【図１５】本発明の一実施形態に係わるステータアセンブリの一部の側面図である。
【発明を実施するための形態】
【０００７】
本発明の実施形態を詳細に説明する前に、本発明は次の説明に記載し、または次の図面に図示した部品の構造および配置の細部だけに用途が限定されるものではないと理解すべきである。本発明は、他の実施形態も可能であり、種々の方法でも実行または実施できる。更に、本願で使用する言い回しおよび用語の用法は発明を説明するためのものであり、限定的であると見なしてはならないと理解すべきである。本願における「含む」、「備える」または「有する」およびその変形用語の使用は、以下リストに記載するアイテムおよびその均等物だけでなく追加アイテムも含むことを意味する。特に指定または限定しない限り、「取り付けられた」、「接続された」、「支持された」および「結合された」、およびその変形用語は、広義に使用するものであり、直接的な取り付けと間接的な取り付けの双方、直接的な接続と間接的な接続の双方、直接的な支持と間接的な支持の双方、および直接的な結合と間接的な結合の双方を含むものである。更に、「接続された」および「結合された」なる用語の意味は、物理的または機械的な接続または結合だけに限定されない。
【０００８】
次の説明は、当業者が本発明の実施形態を製造し、使用できるように提示したものであり、図示した実施形態に関する種々の変形は、当業者には容易に明らかであり、本発明の実施形態から逸脱することなく、他の実施形態および応用例に関して本願の包括的な原理を適用できる。従って、本発明のこれら実施形態は、本願に示した実施形態だけに限定されるものでなく、本願に開示した原理および特徴事項と矛盾しない最も広い範囲に従うべきものである。下記の詳細な説明は、図面を参照して読むべきであり、図中、異なる図面内の同様な要素は、同様な参照番号を有する。必ずしも寸法通りではないこれら図は、選択された実施形態を示し、発明の実施形態の範囲を限定することを意図するものでない。当業者であれば、本願に記載の例は、本発明の実施形態の範囲内に入る有効な多数の代替例を有することが認識できよう。
【０００９】
図１および２は、本発明の一実施形態に係わる電気機器モジュール１０を示す。このモジュール１０は、ハウジング１２を含むことができ、ハウジング１２はスリーブ部材１４と、第１エンドキャップ１６と、第２エンドキャップ１８を備える。これらスリーブ部材１４およびエンドキャップ１６、１８によって少なくとも一部が構成された電気機器のキャビティ２２内に、１つの電気機器２０を収納できる。例えば電気機器キャビティ２２内に電気機器２０の少なくとも一部を密閉するよう、従来の締結具（図示せず）または別の適当な結合方法により、スリーブ部材１４とエンドキャップ１６、１８を結合できる。一部の実施形態では、ハウジング１２は図２に示されるように、エンドキャップ１７に結合された実質的に円筒形のキャニスター１５を含むことができる。更に一部の実施形態では、ハウジング１２は、アルミまたはその他の金属となっているがこれらに限定されない、熱伝導性の性質を一般に含むことができる材料、および電気機器の作動温度に一般に耐えることができる材料を含むことができる。一実施形態では、鋳造、成形、押し出しおよびその他の同様な製造方法を含む異なる本発明のを使用して、ハウジング１２を製造できる。
【００１０】
電気機器２０は、ロータアセンブリ２４、ステータアセンブリ２６およびベアリング２８を含むことができ、シャフト３０のまわりに配置できる。図１に示されるように、ステータアセンブリ２６は、ロータアセンブリ２４の少なくとも一部を実質的に取り囲むことができる。一部の実施形態では、ロータアセンブリ２４はロータハブ３２も含むことができるが、ハブレス構造（図示せず）とすることもできる。
【００１１】
一部の実施形態では、電気機器２０をハウジング１２に作動的に結合できる。例えば電気機器２０をハウジング１２内にはめ込むことができる。一部の実施形態では、しまりばめ、焼きばめまたは電気機器２０とハウジング１２とを少なくとも部分的に作動的に結合できる他の類似した摩擦に基づくはめ込み方法を使用して、ハウジング１２内に電気機器２０をはめ込むことができる。例えば一部の実施形態では、モジュールハウジング１２内にステータアセンブリ２６を焼きばめできる。更に一部の実施形態では、はめ込みによりステータアセンブリ２６を少なくとも部分的に固定でき、この結果、はめ込みにより電気機器２０を軸方向、径方向および円周方向に固定できる。一部の実施形態では電気機器２０の作動中にステータアセンブリ２６とハウジング１２との間のはめ込みは、ステータアセンブリ２６からハウジング１２へトルクを伝えるように、少なくとも部分的に働くことができる。一部の実施形態では、このはめ込みの結果、モジュール１２によって保持されるトルク量が一般に大きくなり得る。
【００１２】
電気機器２０を、ハイブリッド車用電気モータのような電動モータ、発電機または車両用オルタネータとすることができるが、これらだけに限定されない。一部の実施形態では、電気機器２０を高電圧、ヘアピン（ＨＶＨ）電動モータ、内側（インナー）永久磁石電動モータ、またはハイブリッド車用誘導モータとすることができる。 
【００１３】
図３に示されるように一部の実施形態では、ステータアセンブリ２６はステータコア３４と、このステータコア３４の一部の中に少なくとも部分的に配置されたステータ巻線３６とを含むことができる。例えば一部の実施形態では、ステータコア３４は複数のラミネーション４８を含むことができる。図４を参照すると、一部の実施形態では、ラミネーション３８は実質的に放射状に配向された複数の歯４０（ティース）を含むことができる。一部の実施形態では、図３に示されるように、これら複数のラミネーション３８の少なくとも一部が実質的に組み立てられると、歯４０は、複数のスロット４２を構成するように、実質的に整合でき、ステータ巻線３６の少なくとも一部を支持するように構成され、配置されている。図４に示されるように、一部の実施形態ではラミネーション３８は、６０個の歯４０を含むことができ、この結果、ステータコア２８は６０個のスロット４２を含むことができる。別の実施形態では、ラミネーション３８は、６０個よりも多いか、または少ない歯４０を含むことができ、従ってステータコア３４は６０個よりも多いか、または少ないスロット４２を含むことができる。更に一部の実施形態では、ステータコア３４は、内側周辺部４１と、外側周辺部４３とを含むことができる。例えば一部の実施形態では、ステータコア３４は内側周辺部４１が内径部を含み、外側周辺部４３が外径部を有することができるように、実質的に円筒形の構造とすることができる。しかしながら、別の実施形態では、ステータコア３４は他の構造（例えば正方形、長方形、楕円形または正多角形または不規則多角形など）を含むことができ、この結果、内側周辺部４１および外側周辺部４３は別の寸法となることができる。
【００１４】
一部の実施形態では、ステータ巻線３６は、複数の導線４４を含むことができ、一部の実施形態では導線４４は、図３および５に示されるように、実質的にセグメント状の構造（例えばヘアピン構造）を含むことができる。例えば、一部の実施形態では、導線４４の少なくとも一部は、曲がり部分４６と、少なくとも２つの脚部部分４８とを含むことができる。一部の実施形態では、２つの脚部部分４８を実質的に接続するように、２つの脚部部分４８の間に曲がり部分４６を配置できる。一部の実施形態では、これら脚部部分４８を実質的に平行にしてよい。更に一部の実施形態では、曲がり部分４６は、実質的にＵ字形構造を含むことができるが、一部の実施形態では曲がり部分４６をＶ字形、波形形状、湾曲形状およびその他の形状としてもよい。更に一部の実施形態では、図５に示されるように、導線４４の少なくとも一部は、実質的に四角形の横断面を含むことができる。一部の実施形態では、導線４４の少なくとも一部は他の横断面の形状、実質的に円形、正方形、半円形、正多角形または不規則多角形などを含むことができる。一部の実施形態では、導線４４を別の構造（例えば実質的に非セグメント状構造）を含むことができる。
【００１５】
一部の実施形態では、ステータアセンブリ２６は、このステータアセンブリ２６の一部に対し、機械的、電気的および物理的な絶縁性を与えるような構造にされ、更にそのように配置された１つ以上の絶縁部材、装置および／または他の構造を含むことができる。一部の実施形態では、導線４４の一部のうちの少なくとも一部分は、第１絶縁体５０を含むことができる。例えば一部の実施形態では、第１絶縁体５０は、エポキシまたはエナメルのような樹脂状材料を含むことができ、この樹脂状材料は、導線４４の少なくとも一部分に可逆的または不可逆的に結合できる。一部の実施形態では、電気機器２０が作動する間、導線４４を通過するように電流が循環するので、第１絶縁体５０は、隣接する導線４４の間、および／または導線４４とステータコア３４との間の回路の短絡および／または接地を実質的に防止するように、少なくとも部分的に機能し得る。
【００１６】
一部の実施形態では、ステータコア２８内に導線４４を配置したときに第１絶縁体５０が係止されるように、第１絶縁体５０は導線４４の少なくとも一部に結合された焼きばめ構造体を含むことができる。一部の実施形態では、第１絶縁体５０を導線にラップしたり、巻いたり、（例えば接着剤を介して）または他の態様で配置したり、結合したりすることができる。一部の実施形態では、更に後述するように、第１絶縁体５０の一部またはすべてがなくても導線４４の少なくとも一部は実質的に機能し得る。
【００１７】
一部の実施形態では、導線４４は、図５内の導線に実質的に類似する形状に構成し配置できる実質的に線状の導線４４から一般に製造できる。例えば一部の実施形態では、機械（図示せず）が導線４４の少なくとも一部に力を加え（例えば、曲げたり、押したり、引いたり、その他の態様で作用するようにして）単一の導線４４の曲がり部分４６および２つの脚部部分４８を実質的に形成できる。一部の実施形態では、導線４４に第１絶縁体５０を結合した後に、導線４４の少なくとも一部を所望する形状に構成できる。しかしながら一部の実施形態では、導線４４の少なくとも一部を所望する形状（例えばヘアピン形状）に構成（例えば曲げたり、押したり、引いたりなど）することができる。
【００１８】
一部の実施形態では、ステータアセンブリ２６は絶縁体の第２層を含むことができる。一部の実施形態では、この絶縁体の第２層は、少なくとも１つのスロット部材５２を含むことができる。一部の実施形態では、ステータアセンブリ２６は、スロット４２のうちの１つ以上に配置された少なくとも１つのスロット部材５２を含むことができる。例えばスロット４２の一部またはすべての中に、１つ以上のスロット部材５２を配置できる。一部の実施形態では、各スロット４２は、少なくとも１つのスロット部材５２を含むことができ、一部の実施形態では、スロット部材５２の少なくとも一部を実質的に円筒形状とすることができる。一部の実施形態では、スロット部材５２を他の形状、例えば正方形、長方形、半円形、正多角形または不規則多角形などとしてもよい。一部の実施形態では、スロット部材５２の少なくとも一部を、メーカーまたはユーザーが望むか、および／または必要とする任意の形状としてもよい。更に一部の実施形態では、更に詳細に後述するように、１つ以上の導線４４の少なくとも一部を受け入れるように、スロット部材５２の構造を定め、配置できる。
【００１９】
一部の実施形態では、スロット部材５２は摩耗に耐えることができ、電気的および／または機械的絶縁性を提供でき、熱伝導性の性質を含むことができ、および／またはメーカーまたはユーザーが望む他の性質を含むことができる材料を含むことができる。たとえば一部の実施形態では、スロット部材５２の少なくとも一部は、ポリイミド（例えばＫａｐｔｏｎ（登録商標））、ポリアミド、ポリエステル、ポリアミドイミド、ポイリエチレンテレフタレートフィルム（例えばＭｙｌａｒ（登録商標））、パラアミド（例えばＫｅｖｌａｒ（登録商標））、メタアラミド（例えばＮｏｍｅｘ（登録商標））またはその他の材料のような材料を含むことができる。一部の実施形態では、スロット部材５２は、上記材料のうちの一部またはすべての複合体、例えばＮｏｍｅｘ−Ｋａｔｐｔｏｎ（登録商標）複合体を含むこともできる。
【００２０】
一部の実施形態では、図３に示されるように、導線４４の少なくとも一部を実質的にスロット４２内に入れることができる。例えば、一部の実施形態では、複数のスロット４２が軸方向に配置されるようにステータコア３４を構成できる。一部の実施形態では、脚部部分４８の少なくとも一部がステータコア３４を軸方向に貫通できるように、スロット４２内に脚部部分４８を挿入できる。一部の実施形態では、脚部部分４８を近くのスロット４２内に挿入してもよい。例えば、一部の実施形態では、ほぼ１つの磁極のピッチ（例えば６個のスロット、８個のスロットなど）だけ離間したスロット内に導線４４の脚部部分を配置できる。一部の実施形態では、導線４４の曲がり部分４６の少なくとも一部が、ステータアセンブリ２６の挿入端部５６におけるステータコア３４から軸方向に延び、脚部部分４８の少なくとも一部がステータコア３４の溶接端部５８におけるステータアセンブリ２６から軸方向に延びるように、ステータコア３４内に複数の導線４４を配置できる。一部の実施形態では、端部５６、５８において、ステータアセンブリ２６から軸方向に延びる導線４４の領域の少なくとも一部は、ステータ端部曲がり部５４を含むことができる。
【００２１】
一部の実施形態では、モジュール１０の組み立て中に、スロット４２の一部またはすべての内部に１つ以上のスロット部材５２を配置できる。一部の実施形態では、導線４４のうちの１本以上をステータコア３４内に配置する前に、スロット４２内にスロット部材５２を配置できる。例えば一部の実施形態では、導線４４の一部の少なくとも一部分（例えば脚部部分４８）をスロット部材５２内に少なくとも部分的に配置できるよう、スロット４２内にスロット部材５２を位置決めできる。単なる例として挙げると、一部の実施形態では、スロット部材５２が導線４４の各々の少なくとも一部を受け入れできるように、スロット４２の各々内に１つ以上のスロット部材５２を配置してもよい。
【００２２】
更に一部の実施形態では、１つのスロット部材５２が１本以上の導線を受け入れてもよい。一部の実施形態では、１つのスロット部材５２が２本以上の導線４４を受け入れるような構造とし、そのような寸法とすることができる。例えば一部の実施形態では、図６に示されるように、１本の導線（例えば２つの異なる導線４４の脚部部分４８または同じ導線４４の双方の脚部部分４８）を受け入れるように、スロット部材５２の少なくとも一部分の構造を定め、配置することができる。この結果、一部の実施形態では、スロット４４の少なくとも一部は４本の導線４４と、２つのスロット部材５２（例えば１つのスロット部材５２内に配置された２本の導線４４の部分）を含むことができる。一部の実施形態では、スロット４２の少なくとも一部分は、導線４４と同じ数のスロット部材５２を含むことができる。例えば、４本の導線４４の部分を含むスロット４２では、スロット４２は図６Ｂに示されるように４つ以上のスロット部材５２を含むことができる。更に一部の実施形態では、ステータアセンブリ２６は、上記スロット部材５２／導線４４の任意の比率の任意の組み合わせを含むことができる。例えば一部のスロット４２は、４つのスロット部材５２と４本の導線４４を含むことができ、一部のスロット２４は、２つのスロット部材５２と４本の導線４４を含むことができ、一部のスロット４２は、２つのスロット部材５２と４本の導線４４を含むことができ、一部のスロットは、１つ以上のスロット部材５２と４本の導線４４を含むことができる。上記のように、４本の導線４４を使用することは例示であり、スロット４２内ではその他の本数（例えば１本、２本、３本、８本）の導線４４を配置してもよい。
【００２３】
一部の実施形態では、脚部部分４８の少なくとも一部は、多数の領域を含むことができる。一部の実施形態では、脚部部分４８は、インスロット部分６０と、角度付き部分６２と、接続部分６４とを含むことができる。一部の実施形態では、前に述べたように、スロット４２内に脚部部分４８を配置でき、スロット部材５２内に脚部部分４８（例えばインスロット部分６０）の一部を少なくとも部分的に受け入れできる。更に、脚部部分４８は挿入端部５６から溶接端部５８まで軸方向に延びることができる。一部の実施形態では、挿入後、ステータコア３４内に位置する脚部部分４８の少なくとも一部分は、インスロット部分６０を含むことができる。
【００２４】
一部の実施形態では、溶接端部５６および挿入端部５８にてステータアセンブリ２６から延びる脚部部分４８の少なくとも一部の領域は、角度付き部分６２と、接続部分６４とを含むことができる。一部の実施形態では、ステータコア３４内に導線４４を挿入した後に、ステータコア３４から延びる脚部部分４８は従来のねじりプロセス（図示せず）を受けることができ、このねじりプロセスによって角度付き部分６２と接続部分６４とが生じ得る。例えば一部の実施形態では、このねじりプロセスは図３に示されるように、角度付き部分６２を軸方向のより内側の位置に位置決めし、接続部分６４を軸方向外側位置に位置決めできる。一部の実施形態では、角度付き部分６２を、その他の形状、例えば曲げ形状、湾曲形状、または導線４４の水平軸から外れた形状にし得る。
【００２５】
一部の実施形態では、ねじりプロセスの後に導線４４の少なくとも一部分のうちの接続部分６４を、他の導線４４の接続部分６４のすぐ隣に位置させることができる。この結果、複数の接続部分６４を共に結合し、１本以上のステータ巻線３６を共に結合し、１本以上のステータ巻線３６を形成できる。一部の実施形態では、溶接、鑞付け、ハンダ付け、溶着、接着剤または他の結合方法により、これら接続部分６４を結合できる。更に一部の実施形態では、結合プロセスを行うことができるように、接続部分６４にて第１絶縁体５０の少なくとも一部分を実質的に除去できる。しかしながら一部の実施形態では、第１絶縁体５０が接続部分６４を被覆せず、および／またはカバーしないように、導線４４に第１接続体５０を結合してもよい。
【００２６】
一部の実施形態では、ステータアセンブリ２６は他の構造を含むことができる。例えば導線４４は、実質的に直線状の構造としてもよい（例えば導線４４は曲がり部分４６を有しなくても機能するような寸法にしてもよい）。前の一部の実施形態と実質的に同じように、ステータコア３４に導線４４を挿入できる。一部の実施形態では、導線４４の少なくとも一部分を位置決めした後に、ステータアセンブリ２６の両側に接続部分６４と角度付き部分６２を含むように、ステータコア３４の端部５６、５８から延びる脚部部分４８をねじることができる。この結果、ステータアセンブリ２６の端部５６、５８上の隣接接続部分６４を共に接続し、二重結合構造（図示せず）となった１本以上のステータ巻線３６を形成できる。
【００２７】
一部の実施形態では、ねじりプロセスの結果として第１絶縁体５０は少なくとも部分的に細くなり得る。例えば一部の実施形態では、ねじりプロセスによって生じた圧力ポイントは、第１絶縁体５０の他の部分よりもより大きい機械的応力を受ける第１絶縁体５０の領域を生じさせ得る。モジュール１０の寿命中にわたって第１絶縁体５０が細くなることがあり、ある状況ではこの第１絶縁体５０は最終的に傷の付いた状態となり得る。第１絶縁体５０が細くなった結果、一部の実施形態では、剥き出しの導線４４（剥き出しの銅または剥き出しの銅含有材料）が互いに接触したり、ステータコア３４、ハウジング１２または他の要素と接触することがあり、この接触によってモジュール１０の誤作動（例えば短絡回路事故、接地事故など）が生じることにつながる。
【００２８】
更に、電気機器モジュール１０の全体のサイズを縮小できるようにステータ端部の曲がり部分５４の軸方向長さを最小にした場合、モジュール１０の作動を改善できる。例えば一部の実施形態では、他の実施形態よりもステータコア３４に角度付き領域６２を、より接近した状態に配置できるよう（例えばステータコア３４の水平軸に対してより大きい角度で、角度付き領域６２を配置できるよう）脚部部分４８をより大きくねじることができる（例えば接続部分６４をより長い円周方向の距離に、かつ軸方向内側に移動させることができる）。この結果、ステータアセンブリ２６の軸方向長さは、脚部部分４８のねじりがより少ない一部の実施形態よりも、より短くなり得る。一部の実施形態では、角度付き領域６２のねじりの程度を大きくし、この領域をステータコア３４のより近くに配置した結果、複数の導線４４の部分を互いに実質的に隣接するように位置決めできる（例えば互いに接触させたり、互いにほとんど接触した状態にし得る）。この結果、モジュール１０の寿命中、複数の導線４４が互いに接触することがあり、この結果、第１絶縁外５０の摩耗につながり、更にこの結果、短絡回路、接地およびモジュール１０のその他の誤作動および／または故障が生じ得る。
【００２９】
一部の実施形態では、ステータアセンブリ２６は少なくとも１つの絶縁部材６６を含むことができる。一部の実施形態では、ステータアセンブリ２６は複数の絶縁部材６６を含むことができる。一部の実施形態では、絶縁部材６６の少なくとも一部分は、スロット部材５２に実質的に類似する材料を含むことができる。例えば絶縁部材６６は、Ｎｏｍｅｘ（登録商標）−Ｋａｐｔｏｎ（登録商標）複合体を含むことができるが、別の実施形態では、絶縁部材６６の少なくとも一部は、スロット部材５２に関して前に説明したように、別の材料を含むことができる。
【００３０】
一部の実施形態では、絶縁部材６６のうちの少なくとも１つは、少なくとも１本の導線４４の少なくとも一部分をカバーするように位置決めできる。例えば、一部の実施形態では、図７に示されるように、導線４４の脚部部分４８および／または曲がり部分４６の少なくとも一部を覆う状態に、絶縁部材６６の少なくとも一部分を配置してもよい。更に、一部の実施形態では、ステータアセンブリ２６の溶接端部５８から延びる導線４４の脚部部分４８の一部またはすべての上に絶縁部材６６を配置してもよい。更に一部の実施形態では、溶接端部５８から延びる導線４４の一部分を覆う状態に配置することに加え、またはそのように配置する代わりに、挿入端部５６にてステータアセンブリ２６から延びる導線４４の一部分を覆う状態に絶縁部材６６を配置してもよい。以下、更に詳細に述べるように、導線４４と他の導線４４、ステータコア３４、ハウジング１２などとの接触に起因するモジュール１０の誤作動および故障のリスクを低減するように、絶縁部材６６の少なくとも一部を構成し、配置できる。
【００３１】
一部の実施形態では、導線４４の少なくとも一部分を受け入れるように、絶縁部材６６の少なくとも一部分を構成し、配置できる。一部の実施形態では、絶縁部材６６の少なくとも一部分は、導線４４の一部の少なくとも一部分が絶縁部材６６内にはめ込みできるような形状および寸法とすることができる。例えば一部の実施形態では、絶縁部材６６の少なくとも一部分をチューブ形状、円筒構造またはその他の形状および構造（例えば正方形、長方形など）にしてもよい。一部の実施形態では、絶縁部材６６は導線４４の少なくとも一部を受け入れできるような他の任意の形状とすることができる。
【００３２】
一部の実施形態では、ステータコア３４内に導線４４の少なくとも一部分を挿入した後に（例えばインスロット部分６０がスロット４２内に入るように脚部部分４８を挿入した後に）、図７に示されたように、ねじりの前に、溶接端部５８から延びる脚部部分４８の少なくとも一部を覆う状態に、一部の絶縁部材６６を位置決めできる。更に上記のように、溶接端部５８から延びる脚部部分４８に加え、またはその代わりに、一部の実施形態では、図１５に示されるようにステータアセンブリ２６の挿入端部５６から延びる導線４４の少なくとも一部分を覆う状態に絶縁部材６６の少なくとも一部を位置決めできる。例えば図５に示されるように、絶縁部材６６の少なくとも一部分が曲がり部分４６に実質的に隣接するポイントから、ステータコア３４に実質的に隣接するポイントまで延びるように、絶縁部材６６を位置決めできる。別の実施形態では、絶縁部材６６は、挿入端部５６にてステータコア３４から延びる導線４４の少なくとも一部のかなりの部分をカバーできる（例えば絶縁部材６６は挿入端部５６にてステータコア３４から延びる導線４４の一部またはすべての脚部部分４８および曲がり部分４６のかなりの部分をカバーできる）。
【００３３】
一部の実施形態では、組み立てプロセス中に絶縁部材６６の少なくとも一部分を位置決めできる。例えば一部の実施形態では、導線部分４４を覆う状態に（例えば機械により）絶縁部材６６の少なくとも一部分を実質的に自動的に位置決めできる。一部の実施形態では、手動プロセス（例えば手を使った組み立てにより）絶縁部材６６の少なくとも一部分を位置決めできる。
【００３４】
図７および８に示されるように、一部の実施形態では、角度付き部分６２の少なくとも一部を最終的に含むことになる導線４４の少なくとも一部のうちの一部分を覆う状態に（例えばカバーするように）絶縁部材６６の少なくとも一部分を位置決めできる。例えば一部の実施形態では、ステータコア３４内に導線４４を挿入した後に、ステータコア３４に実質的に隣接する位置から接続部分６４に実質的に隣接する位置まで、絶縁部材６６が延びるよう（例えばステータコア３４から軸方向に延びる脚部部分４８の一部の軸方向長さの一部が絶縁部材６６がカバーされるが、接続部分６４が絶縁部材６６によって少なくとも部分的にカバーされないようにする）脚部部分４８の少なくとも一部を覆う状態に絶縁部材６６を配置できる。一部の実施形態では、絶縁部材６６を位置決めした後に、上記のように導線４４をねじることができ、絶縁部材６６の少なくとも一部分の軸方向外側エッジ６８を、図８〜１０に示されるように、接続部分６４に実質的に隣接させるように、導線４４に沿って絶縁部材６６を配置できる。例えば角度付き部分６２の少なくとも一部が絶縁部材６６によってカバーできるが、接続部分６４の少なくとも一部が絶縁部材６６によってはカバーされないように、絶縁部材６６を配置できる。
【００３５】
一部の実施形態では、各スロット４２内に４本の導線４４を配置でき、スロット４２のうちの各々内に４本の導線４４が存在する部分を絶縁部材６６がカバーするように、４つの絶縁部材６６を（例えば自動的におよび／または手動で）配置できる。絶縁部材６６を位置決めした後に導線４４を所定位置に位置するようにねじり、ステータ巻線３６を形成するように接続部分６４を共に結合できる。この結果、一部の実施形態では、接続部分６４に実質的に隣接するポイントから、ステータコア３４に実質的に隣接するポイントまで、絶縁部材６６が延びることができる。例えば図７に示されるように、一部の実施形態では、絶縁部材６６の少なくとも一部分の軸方向内側エッジ７１とステータコア３４との間に、異なる長さの導線の少なくとも一部分の露出した領域６９を構成できる。
【００３６】
一部の実施形態では、別の構造も使用できる。例えば一部の実施形態では、スロット４２内に４未満の本数（例えば１本、２本または３本）の導線４４を配置でき、スロット４２ごとに４未満の数（例えば１つ、２つまたは３つ）の絶縁部材６６を使用できる。一部の実施形態では、導線４４の少なくとも一部分は、絶縁部材６６がなくても機能し得る。例えば図１１および１２に示されるように、ねじりの前に、一部の実施形態では、実質的に交互に位置する導線４４（例えば導線のうちの約５０％または１つおきに位置する導線４４が絶縁部材６６を含むことができる）を覆う状態に絶縁部材６６を配置できる。一部の実施形態では、導線４４の一部が絶縁部材６６によってカバーされないように絶縁部材６６を配置できるが、隣りあった導線４４は絶縁部材６６を含む。この結果、絶縁部材６６を有しない導線４４の少なくとも一部は、導線４４のすべての保護を強化するように絶縁部材６６を有する導線４４に直接隣接する（例えば絶縁部材６６を有しない導線の各々は、絶縁部材６６を有する他の導線４４によって少なくとも部分的に絶縁される）。
【００３７】
一部の実施形態では、絶縁部材６６の少なくとも一部がモジュール１０の一部の部分の組み立てを少なくとも部分的に改善するように構成し、配置できる。一部の実施形態では、導線４４の上に、および／またはそれを覆う状態に、少数の個々の絶縁部材６６を配置するだけでよいように、少なくとも２つの絶縁部材６６を共に結合できる。例えば隣接する（例えば径方向に隣接する）導線４４に、一組の絶縁部材６６（例えば共に結合された２つ、３つまたは４つの絶縁部材６６）を位置決めできるように、図１３に示されるように（可逆的に結合できる接着剤または他の化合物／材料により）２つの絶縁部材６６を共に結合できる。スロット４２ごとに３つ以上の導線４４を含む一部の実施形態では、３つ以上の絶縁部材６６を共に結合できる。例えば一部の実施形態では、スロット６２内に配置された径方向に隣接する４本の導線４４上に一組の絶縁部材６６（すなわち共に結合された絶縁部材６６）を位置決めできるように、４つの絶縁部材６６を共に結合できる。別の実施形態では、組み立てを少なくとも部分的に容易にするように、別の数の絶縁部材６６を共に結合してもよい。    
【００３８】
一部の実施形態では、絶縁部材６６の少なくとも一部分を共に結合した結果、モジュール１０の組み立ての少なくとも一部を促進できる。例えば同じ数の絶縁部材６６を使用できるので、より少ない数のセット（すなわち１つのセットは多数の絶縁部材６６を含むことができる）で、所定の時間で導線４４上により多くの数の絶縁部材６６を配置できる。更にステータアセンブリ２６の製造を促進するために、一部の実施形態では、導線４４上に配置した後に、絶縁部材６６にダメージを与えることなく、共に結合されている絶縁部材６６を互いに離間するように構成し、配置できる。例えば、接着剤または少なくとも２つの絶縁部材６６を共に保持できるその他の結合材料により、絶縁部材６６を共に結合できるが、角度付き部分６２および接続部分６６を形成するように、導線４４をねじったときに、結合されている絶縁部材６６の間の結合接合も破壊されることがある。この結果、図８〜１１に示されるような構造が生じるように、多数の絶縁部材６６のセット内で導線４４上に絶縁部材６６を配置し、ねじりプロセス中に絶縁部材６６の結合を外してもよい。例えば導線４４の少なくとも一部分を（例えば約５０％だけ）時計回り方向に移動し、導線４４の別の部分を（例えば約５０％だけ）反時計回り方向に移動させることができ、これによって絶縁部材６６の結合を外すことができる。
【００３９】
一部の実施形態では、導線４４の少なくとも一部分を絶縁保護するように、絶縁部材６６を構成し、配置できる。一部の実施形態では、ねじりプロセスに関連する上記問題の一部およびモジュール１０の寿命の間、およびねじりプロセス中に生じるトラブル（例えばねじりプロセス中中に導線４４が互いに接触する）が生じないように、絶縁部材６６内に配置された導線４４の部分（例えば導線４４の脚部部分４８の領域およびその他の部分）を保護できる。例えば絶縁部材６６の少なくとも一部は、導線４４の部分および第１絶縁体５０を、モジュール１０の寿命中に生じる摩耗の少なくとも一部から絶縁できる。更に、一部の実施形態では、絶縁部材６６は、（第１絶縁体５０によって得られる絶縁保護に加え、またはその代わりに）導線４４に対する絶縁保護も提供できる。
【００４０】
従来の一部の電気機器は、図１４に示されるようにステータアセンブリ２６の溶接端部の側面５８にて、隣接する脚部部分４８の間に位置する絶縁バンド７０を含むことができる。例えばスロットごとに４本の導線脚部部分４８を含む従来の電気機器では、図１４に示されるように、隣接する脚部部分４８の間に少なくとも３つの絶縁バンド７０を位置決めできる（例えば脚部部分４８を次の脚部部分４８に対して径方向に隣接するように層状にし、脚部部分４８の間に絶縁バンド７０を位置決めできる）。絶縁バンド７０は、ロータアセンブリ２６の少なくとも一部分のまわりの脚部部分４８の一部またはすべての間で円周方向に延びることができる。
【００４１】
絶縁バンド７０は、結合プロセス中に露出し得る導線４４の一部分を保護するように作動できる。例えば結合プロセス（例えば溶接、鑞付けなど）により導線４４と第１絶縁体５０の双方が少なくとも部分的にダメージを受けることがある。バンド７０は、導線４４および第１絶縁体５０の少なくとも一部分を結合プロセスの有害な作用からシールドし、保護し、および／またはガードできるので、結合プロセス中のダメージを少なくするために従来の一部の電気機器では絶縁バンド７０を使用できる。一部の実施形態では、絶縁部材６６は絶縁バンド７０の一部またはすべての必要性を少なくとも部分的に少なくできる。例えば一部の実施形態では、絶縁バンド６６内に位置する導線４４と第１絶縁体５０の部分は、絶縁部材６６によって得られる物理的な分離により、絶縁バンド７０の代わりに絶縁部材６６により、結合プロセスから保護できる。従って、一部の実施形態では、絶縁部材６６を含めることによって絶縁バンド７０の必要性を低減または解消できる。
【００４２】
一部の実施形態では、絶縁部材６６は、多数の構造とし得る。一部の実施形態では、スロット部材５２の少なくとも一部分は、延びたスロット部材５２ａとして絶縁部材６６の一部を含むことができる。従来の一部のステータアセンブリでは、溶接端部５８および挿入端部５６の双方にてスロット部材５２が第１の軸方向距離（例えば１〜５ｍｍ）だけ延びることができる。本発明の一部の実施形態では、延びたスロット部材５２ａは、溶接端部５８および／または挿入端部５６にて、第２の軸方向長さ（例えばスロット部材５２の長さと組み合わされた絶縁部材６６の軸方向長さと実質的に同じ長さ）を含むことができる。この結果、ステータアセンブリ２６内に導線４４を挿入した後に、ステータコア３４から延びる脚部部分４８の少なくとも一部を、延びたスロット部材５２ａ内に配置し、前に述べた実施形態の一部と実質的に類似する態様で絶縁できる。
【００４３】
更に一部の実施形態では、延びたスロット部材５２ａの軸方向外側エッジ６８ａが接続部分６４および／または曲がり部分４６の一部の領域に実質的に隣接するように、延びたスロット部材５２ａを導線４４の少なくとも一部に沿って、ある長さだけ延びるように構成し、配置できる。一部の実施形態では、ねじり後、溶接端部５８上の軸方向外側エッジ６８ａが接続部分６４に実質的に隣接し、上記のように絶縁効果を提供するように、延びたスロット部材５２ａを構成し、配置できる。一部の実施形態では、延びたスロットのライナー５２ａは長さが延びたことにより更なる絶縁効果を提供できる。曲がり部分４６および接続部分６４に実質的に隣接するポイントまで、延びたスロットライナー５２ａが延びている一部の実施形態では、第１絶縁体５０を必要とすることなく導線４４の少なくとも一部を絶縁できる。導線４４の一部またはすべて（例えば脚部部分４８および曲がり部分４６の部分）を覆う状態に、延びたスロットライナー５２ａを配置できるので、第１絶縁体５０の必要性を低減または解消でき、これによって電気機器モジュール１０の作動に必要な絶縁性を提供できる。
【００４４】
更に一部の実施形態では、接続部分６４を結合した後に第２絶縁体（図示せず）内でモジュール１０の少なくとも一部分を実質的にコーティングできる。例えば一部の実施形態では、電気機器２０の少なくとも一部分にニス、樹脂状材料（例えばエポキシ）、別の絶縁材料、またはそれらの組み合わせを塗布し、絶縁体の追加層を設け、電気機器モジュール１０の部品の間で生じる短絡回路事故および／または接地事故の危険性を少なくとも部分的に低減できる。一部の実施形態では、真空圧力含浸、浸漬または他の同様な塗布方法により、第２絶縁体を塗布できる。例えば一部の実施形態では、米国特許出願第13/233,187号に開示されたプロセスと実質的に同様な態様で、真空圧力含浸によりステータアセンブリ２６に第２絶縁体（例えば樹脂、例えばエポキシ、ニスまたは他の絶縁体）を塗布できる。前記米国特許出願は、本願の譲受人が権利者となっており、その内容全体を本願で参考例として援用する。第２絶縁体を塗布する態様とは関係なく、第２絶縁体は、ステータアセンブリの一部またはすべて（例えば導線４４、任意の絶縁体などをカバーするスロット４２）を浸透させることができる。この結果、一部の実施形態では、硬化の後に第２絶縁体は、導線４４の間を絶縁すると同時にステータアセンブリ２６の複数の部分の一部またはすべてを共に結合するように機能し得る（例えば硬化したニスはステータアセンブリ２６の複数の部分を一体に永久に結合できる。
【００４５】
一部の実施形態では、第２絶縁体のステータアセンブリ２６のコーティングを可能にするように、延びたスロット部材５２ａを構成し、配置できる。例えば延びたスロット部材５２ａ、絶縁部材６６および／またはスロット部材５２の一部は、第２絶縁体が浸透できない材料を含んでもよいし、またはこれらは、第２絶縁体が作用することなく、または部分的にしか浸透できないような材料を含んでもよい。この結果、一部の実施形態では、延びたスロットライナー５２ａの１つ以上は、１つ以上の絶縁開口部７２を含むことができる。例えばステータアセンブリ２６の端部５６、５８の一方または双方に実質的に隣接する位置にて、延びたスロット部材５２ａの部分を貫通するような絶縁開口部７２を配置できる。この結果、第２絶縁体が硬化し、絶縁作用および結合作用を提供できるよう、絶縁開口部７２を通して第２絶縁体の少なくとも一部分が、ステータアセンブリ２６のスロット４２および／または他の部分に侵入できる。一部の実施形態では、延びたスロット部材５２ａの製造中に絶縁開口部７２の一部を形成し、延びたスロット部材５２ａが製造された後に、絶縁開口部７２の一部を形成できる（例えば、スロット４２内に延びたスロット部材５２ａを配置した後に開口部７２を形成してもよい）。
【００４６】
一部の実施形態では、絶縁開口部７２は多数の構造を含むことができる。例えば延びたスロット部材５２ａの１つ以上は、複数の絶縁開口部７２を含むことができる。例えば延びたスロット部材５２ａは、全体に孔が開けられた構造を含むことができる。この結果、１つの任意のスロット部材５２ａに対し、多数の位置にて第２絶縁体は延びたスロット部材５２ａに侵入し得る。更に一部の実施形態では、ねじりプロセス中に絶縁体４４および延びたスロット部材５２ａの移動力によって、部材５２ａの外側部分が分離され、これによって絶縁部材６６が形成され、スロット部材５２は分離され得る。
【００４７】
一部の実施形態では、延びたスロット部材５２ａの１つ以上の側面上に絶縁開口部７２を配置できる。上記のように、ねじりプロセス中に多数の円周方向に導線４４を移動できる（例えば導線４４のうちの約５０％を時計回り方向に移動させ、導線４４の約５０％を反時計回り方向に移動できる）。従って一部の実施形態では、第１の円周方向（例えば反時計回り方向）に移動された脚部部分４８に対して、延びたスロット部材５２ａの第１の側面上に絶縁開口部７２を配置し、第２円周方向（例えば時計回り方向）に移動された脚部部分４８に対しては、第１側面と実質的に反対側の第２側面に絶縁開口部７２を配置できる。この結果、第２絶縁体は両側にて（例えばスロット４２の交互に位置する側にて）絶縁開口部７２に進入し、ステータアセンブリ２６内に浸透できる。
【００４８】
図１に示されるように、一部の実施形態ではスリープ部材１４は冷媒ジャケット７４を含むことができる。例えば一部の実施形態では、スリーブ部材１４は内側壁７６と外側壁７８とを含むことができ、これら壁７６と７８との間で実質的に冷媒ジャケット７４を位置決めできる。一部の実施形態では、冷媒ジャケット７４は電気機器２０の少なくとも一部を実質的に囲むことができる。より詳細には、一部の実施形態では、冷媒ジャケット７４は、挿入端部５６および溶接端部５８の双方の上に延びる際のステータ巻線３６（例えば、ステータ端部の曲がり部５６）を含むステータアセンブリ２６の外径の少なくとも一部分を実質的に囲むことができる。
【００４９】
更に一部の実施形態では、冷媒ジャケット７４は、変速機の流体、エチレングリコール、エチレングリコールと水の混合物、水、オイル、モーターオイル、ミスト、ガスまたは電気機器モジュール１０が発生する熱エネルギーを受け入れることができる別の物質を含むことできる冷媒を含み得る。この冷媒ジャケット７４は、冷媒ジャケット７４内に分散される前、または分散の際に冷媒を加圧できる冷媒ソース（図示せず）と連通し得るので、加圧された冷媒は、この冷媒ジャケット７４を通って循環できる。
【００５０】
更に一部の実施形態では、内側壁６４は、冷媒ジャケット７４が電気機器のキャビティ２２と流体で連通できるように冷媒開口部８０を含むことができる。一部の実施形態では、ステータ端部の巻線３６が溶接端部５８および挿入端部５６のうちの少なくとも一方においてステータコア３４を出る際に、このステータ端部巻線３６に実質的に隣接するように、冷媒開口部８０を位置決めできる。例えば一部の実施形態では、冷媒ジャケット７４を通って加圧された冷媒が循環する際に、冷媒の少なくとも一部は冷媒開口部８０を通って冷媒ジャケット７４から出て、電気機器のキャビティ２２に進入できる。更に一部の実施形態では、冷媒はステータ巻線３６と接触することができるので、これによって少なくとも部分的な冷却を行うことができる。冷媒開口部８０を出た後に、冷媒の少なくとも一部は、電気機器のキャビティ２２の一部を通過するように流れ、モジュール１０の種々の要素に接触することができ、これによって一部の実施形態では、モジュール１０の少なくとも部分的な冷却が生じ得る。
【００５１】
以上で、特定の実施形態および例に関連してこれまで本発明について説明したが、本発明はこれら実施形態および例だけに必ずしも限定されるものではなく、これら実施形態、例および用途と異なる他の実施形態、例、用途および変形例、および変更例は添付した特許請求の範囲に含まれることが当業者であれば理解できよう。本願に引用した各特許および刊行物を本願で参考例として別々に援用するかのように、本願で引用したかかる各特許および刊行物全体を参考例として援用する。特許請求の範囲には本発明の種々の特徴および利点が記載されている。
【符号の説明】
【００５２】
１０  モジュール
１２  ハウジング
１４  スリーブ部材
１６  第１エンドキャップ
１８  第２エンドキャップ
２０  電気機器
２２  電気機器キャビティ
２４  ロータアセンブリ
２６  ステータアセンブリ
２８  ベアリング
３０  シャフト
３２  ロータハブ
３４  ステータコア
３６  ステータ巻線
３８  ラミネーション
４０  歯
４０  スロット
４１  内側周辺部
４３  外側周辺部
４４  導線
４６  曲がり部分
４８  脚部部分
５０  第１絶縁体
５２  スロット部材
５４  ステータ端部曲がり部分
５６  挿入端部
５８  溶接端部
６０  インスロット部分
６２  角度付き部分
６４  接続部分
６６  絶縁部材
６８  外側エッジ
６９  露出領域
７０  絶縁バンド
７１  内側エッジ
７２  絶縁開口部
７４  冷媒ジャケット
７６、７８  壁
【図１】
2013165639.tif 000003
【図２】
2013165639.tif 000004
【図３】
2013165639.tif 000005
【図４】
2013165639.tif 000006
【図５】
2013165639.tif 000007
【図６Ａ】
2013165639.tif 000008
【図６Ｂ】
2013165639.tif 000009
【図１３】
2013165639.tif 000010
【図１４】
2013165639.tif 000011
【図７】
2013165639.tif 000012
【図８】
2013165639.tif 000013
【図９】
2013165639.tif 000014
【図１０】
2013165639.tif 000015
【図１１】
2013165639.tif 000016
【図１２】
2013165639.tif 000017
【図１５】
2013165639.tif 000018